(57)【特許請求の範囲】
【請求項１】
各辞書コンテンツの名前と、当該各辞書コンテンツの価格と、当該各辞書コンテンツを推薦する学校名と、をそれぞれ対応付けて記憶する辞書コンテンツ情報記憶手段と、
外部の端末から学校名を受信する学校名受信手段と、
この学校名受信手段により受信された学校名と一致する学校名を前記辞書コンテンツ情報記憶手段から検索し、当該検索された学校名と対応付けて記憶された辞書コンテンツの名前を前記辞書コンテンツ情報記憶手段から読み出す学校推薦辞書コンテンツ名読み出し手段と、
この学校推薦辞書コンテンツ名読み出し手段により読み出された辞書コンテンツの名前を初期選択状態として、他の辞書コンテンツの名前と共に前記外部の端末に表示させる学校推薦辞書コンテンツ名選択表示手段と、
この学校推薦辞書コンテンツ名選択表示手段により表示された辞書コンテンツの名前から１つ以上の辞書コンテンツの名前を選択した情報を前記外部の端末から受信する辞書コンテンツ名選択情報受信手段と、
この辞書コンテンツ名選択情報受信手段により受信された辞書コンテンツの名前に応じた電子辞書の見積価格を前記外部の端末へ送信する見積価格送信手段と、
を備えたことを特徴とする受注サーバ。
【請求項２】
各辞書コンテンツの名前と、当該各辞書コンテンツの価格と、当該各辞書コンテンツの用途と、をそれぞれ対応付けて記憶する辞書コンテンツ情報記憶手段と、
外部の端末からユーザ用途を受信するユーザ用途受信手段と、
このユーザ用途受信手段により受信されたユーザ用途と一致する用途を前記辞書コンテンツ情報記憶手段から検索し、当該検索された用途と対応付けて記憶された辞書コンテンツの名前を前記辞書コンテンツ情報記憶手段から読み出す用途対応辞書コンテンツ名読み出し手段と、
この用途対応辞書コンテンツ名読み出し手段により読み出された辞書コンテンツの名前を初期選択状態として、他の辞書コンテンツの名前と共に前記外部の端末に表示させる用途対応辞書コンテンツ名選択表示手段と、
この用途対応辞書コンテンツ名選択表示手段により表示された辞書コンテンツの名前から１つ以上の辞書コンテンツの名前を選択した情報を前記外部の端末から受信する辞書コンテンツ名選択情報受信手段と、
この辞書コンテンツ名選択情報受信手段により受信された辞書コンテンツの名前に応じた電子辞書の見積価格を前記外部の端末へ送信する見積価格送信手段と、
を備えたことを特徴とする受注サーバ。
【請求項３】
各辞書コンテンツの名前と、当該各辞書コンテンツの価格と、当該各辞書コンテンツの語学レベルと、をそれぞれ対応付けて記憶する辞書コンテンツ情報記憶手段と、
外部の端末からユーザ語学レベルを受信するユーザ語学レベル受信手段と、
このユーザ語学レベル受信手段により受信されたユーザ語学レベルと一致する語学レベルを前記辞書コンテンツ情報記憶手段から検索し、当該検索された語学レベルと対応付けて記憶された辞書コンテンツの名前を前記辞書コンテンツ情報記憶手段から読み出す語学レベル対応辞書コンテンツ名読み出し手段と、
この語学レベル対応辞書コンテンツ名読み出し手段により読み出された辞書コンテンツの名前を初期選択状態として、他の辞書コンテンツの名前と共に前記外部の端末に表示させる語学レベル対応辞書コンテンツ名選択表示手段と、
この語学レベル対応辞書コンテンツ名選択表示手段により表示された辞書コンテンツの名前から１つ以上の辞書コンテンツの名前を選択した情報を前記外部の端末から受信する辞書コンテンツ名選択情報受信手段と、
この辞書コンテンツ名選択情報受信手段により受信された辞書コンテンツの名前に応じた電子辞書の見積価格を前記外部の端末へ送信する見積価格送信手段と、
を備えたことを特徴とする受注サーバ。
【請求項４】
さらに、
前記辞書コンテンツ名選択情報受信手段により受信された辞書コンテンツの名前の情報を製品製造工場の端末へ送信する製造情報送信手段
を備えたことを特徴とする請求項１乃至請求項３の何れか１項に記載の受注サーバ。
【請求項５】
さらに、
前記外部の端末から製品の送付先を受信する送付先受信手段を備え、
前記製造情報送信手段は、前記辞書コンテンツ名選択情報受信手段により受信された辞書コンテンツの名前の情報と共に前記送付先受信手段により受信された製品の送付先を製品製造工場の端末へ送信する
ことを特徴とする請求項４に記載の受注サーバ。
【請求項６】
各辞書コンテンツの名前と、当該各辞書コンテンツの価格と、当該各辞書コンテンツを推薦する学校名と、をそれぞれ対応付けて記憶する辞書コンテンツ情報記憶手段を備えた受注サーバが、
外部の端末から学校名を受信する学校名受信ステップと、
この学校名受信ステップにおいて受信された学校名と一致する学校名を前記辞書コンテンツ情報記憶手段から検索し、当該検索された学校名と対応付けて記憶された辞書コンテンツの名前を前記辞書コンテンツ情報記憶手段から読み出す学校推薦辞書コンテンツ名読み出しステップと、
この学校推薦辞書コンテンツ名読み出しステップにおいて読み出された辞書コンテンツの名前を初期選択状態として、他の辞書コンテンツの名前と共に前記外部の端末に表示させる学校推薦辞書コンテンツ名選択表示ステップと、
この学校推薦辞書コンテンツ名選択表示ステップにおいて表示された辞書コンテンツの名前から１つ以上の辞書コンテンツの名前を選択した情報を前記外部の端末から受信する辞書コンテンツ名選択情報受信ステップと、
この辞書コンテンツ名選択情報受信ステップにおいて受信された辞書コンテンツの名前の情報を製品製造工場の端末へ送信する製造情報送信ステップと、
を行い、
前記製品製造工場の端末が、
前記製造情報送信ステップにおいて受信した辞書コンテンツの名前の情報に基づいて当該辞書コンテンツを収録した電子辞書を生産する指示を製造ラインに送信して当該電子辞書を生産させる電子辞書生産ステップ
を行うことを特徴とする電子辞書を生産する方法。
【発明の詳細な説明】
【０００１】
【発明の属する技術分野】
本発明は、ユーザからの注文に合わせてコンテンツを組み込んだ電子辞書などを受注生産するための受注サーバ、電子辞書を生産する方法に関する。
【０００２】
【従来の技術】
例えば、電子辞書には様々な種類のものがあり、その殆どは内蔵された辞書コンテンツの内容や数量、そして装置本体の大きさや表示画面の大きさなどにより仕様が異なり、それぞれ別モデルとして販売されている。
【０００３】
そして、ユーザは、電子辞書の各モデルの仕様を店頭やカタログあるいはインターネットＨＰなどで確認することにより、自分に合ったモデルを探し出して購入している。
【０００４】
【発明が解決しようとする課題】
したがって、従来の電子辞書の辞書コンテンツはモデル毎に固定化されており、ユーザは個々人で任意の辞書コンテンツを組み合わせて収録したモデルを購入することができない。
【０００５】
本発明は、前記のような問題に鑑みてなされたもので、ユーザは個々人で任意のコンテンツを組み合わせて収録したモデルを購入することが可能になる受注サーバ、電子辞書を生産する方法を提供することを目的とする。
【０００６】
【課題を解決するための手段】
すなわち、本発明の請求項１に係る受注サーバは、各辞書コンテンツの名前と、当該各辞書コンテンツの価格と、当該各辞書コンテンツを推薦する学校名と、をそれぞれ対応付けて記憶する辞書コンテンツ情報記憶手段と、外部の端末から学校名を受信する学校名受信手段と、この学校名受信手段により受信された学校名と一致する学校名を前記辞書コンテンツ情報記憶手段から検索し、当該検索された学校名と対応付けて記憶された辞書コンテンツの名前を前記辞書コンテンツ情報記憶手段から読み出す学校推薦辞書コンテンツ名読み出し手段と、この学校推薦辞書コンテンツ名読み出し手段により読み出された辞書コンテンツの名前を初期選択状態として、他の辞書コンテンツの名前と共に前記外部の端末に表示させる学校推薦辞書コンテンツ名選択表示手段と、この学校推薦辞書コンテンツ名選択表示手段により表示された辞書コンテンツの名前から１つ以上の辞書コンテンツの名前を選択した情報を前記外部の端末から受信する辞書コンテンツ名選択情報受信手段と、この辞書コンテンツ名選択情報受信手段により受信された辞書コンテンツの名前に応じた電子辞書の見積価格を前記外部の端末へ送信する見積価格送信手段と、を備えたことを特徴とする。
【０００７】
このような、本発明の請求項１に係る受注サーバでは、各辞書コンテンツの名前と、当該各辞書コンテンツの価格と、当該各辞書コンテンツを推薦する学校名と、をそれぞれ対応付けて記憶する辞書コンテンツ情報記憶手段を有し、外部の端末から学校名受信手段により学校名が受信されると、この受信された学校名と一致する学校名が前記辞書コンテンツ情報記憶手段から検索され、当該検索された学校名と対応付けて記憶された辞書コンテンツの名前が学校推薦辞書コンテンツ名読み出し手段により前記辞書コンテンツ情報記憶手段から読み出され、この読み出された辞書コンテンツの名前が初期選択状態として、他の辞書コンテンツの名前と共に学校推薦辞書コンテンツ名送信手段により前記外部の端末に表示される。この表示された辞書コンテンツの名前から１つ以上の辞書コンテンツの名前を選択した情報が辞書コンテンツ名選択情報受信手段により前記外部の端末から受信されると、この受信された辞書コンテンツの名前に応じた電子辞書の見積価格が見積価格送信手段により前記外部の端末へ送信される。
【０００９】
また、本発明の請求項２に係る受注サーバは、各辞書コンテンツの名前と、当該各辞書コンテンツの価格と、当該各辞書コンテンツの用途と、をそれぞれ対応付けて記憶する辞書コンテンツ情報記憶手段と、外部の端末からユーザ用途を受信するユーザ用途受信手段と、このユーザ用途受信手段により受信されたユーザ用途と一致する用途を前記辞書コンテンツ情報記憶手段から検索し、当該検索された用途と対応付けて記憶された辞書コンテンツの名前を前記辞書コンテンツ情報記憶手段から読み出す用途対応辞書コンテンツ名読み出し手段と、この用途対応辞書コンテンツ名読み出し手段により読み出された辞書コンテンツの名前を初期選択状態として、他の辞書コンテンツの名前と共に前記外部の端末に表示させる用途対応辞書コンテンツ名選択表示手段と、この用途対応辞書コンテンツ名選択表示手段により表示された辞書コンテンツの名前から１つ以上の辞書コンテンツの名前を選択した情報を前記外部の端末から受信する辞書コンテンツ名選択情報受信手段と、この辞書コンテンツ名選択情報受信手段により受信された辞書コンテンツの名前に応じた電子辞書の見積価格を前記外部の端末へ送信する見積価格送信手段と、を備えたことを特徴とする。
【００１０】
このような、本発明の請求項２に係る受注サーバでは、各辞書コンテンツの名前と、当該各辞書コンテンツの価格と、当該各辞書コンテンツの用途と、をそれぞれ対応付けて記憶する辞書コンテンツ情報記憶手段を有し、外部の端末からユーザ用途受信手段によりユーザ用途が受信されると、この受信されたユーザ用途と一致する用途が前記辞書コンテンツ情報記憶手段から検索され、当該検索された用途と対応付けて記憶された辞書コンテンツの名前が用途対応辞書コンテンツ名読み出し手段により前記辞書コンテンツ情報記憶手段から読み出され、この読み出された辞書コンテンツの名前が初期選択状態として、他の辞書コンテンツの名前と共に用途対応辞書コンテンツ名送信手段により前記外部の端末に表示される。この表示された辞書コンテンツの名前から１つ以上の辞書コンテンツの名前を選択した情報が辞書コンテンツ名選択情報受信手段により前記外部の端末から受信されると、この受信された辞書コンテンツの名前に応じた電子辞書の見積価格が見積価格送信手段により前記外部の端末へ送信される。
【００１２】
また、本発明の請求項３に係る受注サーバは、各辞書コンテンツの名前と、当該各辞書コンテンツの価格と、当該各辞書コンテンツの語学レベルと、をそれぞれ対応付けて記憶する辞書コンテンツ情報記憶手段と、外部の端末からユーザ語学レベルを受信するユーザ語学レベル受信手段と、このユーザ語学レベル受信手段により受信されたユーザ語学レベルと一致する語学レベルを前記辞書コンテンツ情報記憶手段から検索し、当該検索された語学レベルと対応付けて記憶された辞書コンテンツの名前を前記辞書コンテンツ情報記憶手段から読み出す語学レベル対応辞書コンテンツ名読み出し手段と、この語学レベル対応辞書コンテンツ名読み出し手段により読み出された辞書コンテンツの名前を初期選択状態として、他の辞書コンテンツの名前と共に前記外部の端末に表示させる語学レベル対応辞書コンテンツ名選択表示手段と、この語学レベル対応辞書コンテンツ名選択表示手段により表示された辞書コンテンツの名前から１つ以上の辞書コンテンツの名前を選択した情報を前記外部の端末から受信する辞書コンテンツ名選択情報受信手段と、この辞書コンテンツ名選択情報受信手段により受信された辞書コンテンツの名前に応じた電子辞書の見積価格を前記外部の端末へ送信する見積価格送信手段と、を備えたことを特徴とする。
【００１３】
このような、本発明の請求項３に係る受注サーバでは、各辞書コンテンツの名前と、当該各辞書コンテンツの価格と、当該各辞書コンテンツの語学レベルと、をそれぞれ対応付けて記憶する辞書コンテンツ情報記憶手段を有し、外部の端末からユーザ語学レベル受信手段によりユーザ語学レベルが受信されると、この受信されたユーザ語学レベルと一致する語学レベルが前記辞書コンテンツ情報記憶手段から検索され、当該検索された語学レベルと対応付けて記憶された辞書コンテンツの名前が語学レベル対応辞書コンテンツ名読み出し手段により前記辞書コンテンツ情報記憶手段から読み出され、この読み出された辞書コンテンツの名前が初期選択状態として、他の辞書コンテンツの名前と共に語学レベル対応辞書コンテンツ名送信手段により前記外部の端末に表示される。この表示された辞書コンテンツの名前から１つ以上の辞書コンテンツの名前を選択した情報が辞書コンテンツ名選択情報受信手段により前記外部の端末から受信されると、この受信された辞書コンテンツの名前に応じた電子辞書の見積価格が見積価格送信手段により前記外部の端末へ送信される。
【００１５】
【発明の実施の形態】
以下、図面を参照して本発明の実施の形態について説明する。
【００１６】
図１は本発明の実施形態に係る受注サーバ１０に基づいた電子辞書受注生産システムの全体の構成を示す図である。
【００１７】
この電子辞書受注生産システムは、通信ネットワーク（インターネット）Ｎを介して相互に通信可能に接続された、例えば電子辞書メーカの受注サーバ１０、ユーザ端末（ＰＣ）２０、電子辞書メーカファクトリＦＡのファクトリオートメーション端末（ＦＡ−ＰＣ）３０を備えて構成される。
【００１８】
電子辞書メーカファクトリＦＡには、ファクトリオートメーション端末（ＦＡ−ＰＣ）３０により制御される製造ライン３０Ｌが設置され、この製造ライン３０Ｌによりユーザ個々人からの受注内容に合わせた電子辞書（Ａ）４０Ａ，（Ｂ）４０Ｂ，（Ｃ）４０Ｃ，…が製造されて配送される。
【００１９】
図２は前記電子辞書受注生産システムの概要を説明する図である。
【００２０】
すなわち、ユーザ端末（ＰＣ）２０から受注サーバ１０へのアクセスにより提供される電子辞書カスタマイズのホームページ（ＨＰ）において、ユーザ自身が必要とする辞書コンテンツを選択すると、受注サーバ１０からユーザ端末２０に対し、選択された辞書コンテンツのソフトウエア及びその収録や表示に必要なハードウエアに応じて電子辞書４０の販売価格の見積が提示される。
【００２１】
そして、ユーザ端末２０から受注サーバ１０に対して発注操作が成されると、当該受注サーバ１０からファクトリオートメーション端末（ＦＡ−ＰＣ）３０に対して受注内容（辞書コンテンツ，メモリ容量，表示画面サイズなど）に応じた電子辞書４０の発注処理が行われ、これに応じて発注ユーザ独自の辞書コンテンツが収録された電子辞書４０がメーカファクトリＦＡの製造ライン３０Ｌにより製造されて発注元のユーザへ配送される。
【００２２】
図３は前記電子辞書受注生産システムにおける受注サーバ１０の電子回路の構成を示すブロック図である。
【００２３】
この受注サーバ１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００２４】
ＣＰＵ１１は、メモリ１２内に予め記憶されたサーバ制御プログラム、あるいはＣＤ−ＲＯＭなどの外部記録媒体１３から記録媒体読取部１４を介して前記メモリ１２に読み込まれたサーバ制御プログラム、あるいは通信ネットワーク（インターネット）Ｎ上のＷｅｂサーバ（この場合はプログラムサーバ）から電送制御部１５を介して前記メモリ１２に読み込まれたサーバ制御プログラムに応じて、回路各部の動作を制御する。
【００２５】
前記メモリ１２に記憶されたサーバ制御プログラムは、電送制御部１５を介して接続される通信ネットワーク（インターネット）Ｎ上のユーザ端末（ＰＣ）２０…やファクトリオートメーション端末（ＦＡ−ＰＣ）３０との通信信号、あるいはその他の各Ｗｅｂサーバとの通信信号、キーやマウス，タッチパネルなどからなる入力部１６からのオペレータ操作に応じた入力信号に応じて起動される。
【００２６】
前記ＣＰＵ１１には、前記メモリ１２、記録媒体読取部１４、電送制御部１５、入力部１６が接続される他に、表示部１９などが接続される。
【００２７】
メモリ１２には、当該受注サーバ１０の全体の動作を司るシステムプログラムや電送制御部１５を介して通信ネットワーク（インターネット）Ｎ上の各コンピュータ端末２０，３０やＷｅｂサーバとデータ通信するための通信プログラムが記憶される他に、ユーザ端末２０…からの電子辞書カスタマイズの受注処理，見積処理，ファクトリオートメーション端末（ＦＡ−ＰＣ）３０への発注処理などを行うための受注サーバ処理プログラム１２ａなどが記憶される。
【００２８】
また、このメモリ１２には、電子辞書４０の各種ハードウエアの仕様・価格の情報を記述したハードウエア情報テーブル１（図４参照）が記憶されるハードウエア情報メモリ１２ｂ、辞書コンテンツの内容・適性・容量・価格・学校推薦などの情報を記述した辞書コンテンツ情報テーブル２（図５参照）が記憶される辞書コンテンツ情報メモリ１２ｃ、ユーザ端末２０とのアクセスに応じて取得された発注辞書の内容（ハードウエア＋ソフトウエア）や氏名・住所・クレジット情報などが記憶される顧客購入情報メモリ１２ｄなどが用意される。
【００２９】
図４は前記電子辞書受注生産システムにおける受注サーバ１０のハードウエア情報メモリ１２ｂに記憶されたハードウエア情報テーブル１を示す図である。
【００３０】
このハードウエア情報テーブル１には、電子辞書のハードウエアのタイプとそのそれぞれの対応価格とが記述されるもので、ハードウエアのタイプは大画面タイプと小型タイプとで大きく分けられ、大画面タイプ，小型タイプそれぞれの中でさらにメモリ容量の異なるタイプに分けられ、そのそれぞれに応じた価格が設定される。
【００３１】
図５は前記電子辞書受注生産システムにおける受注サーバ１０の辞書コンテンツ情報メモリ１２ｃに記憶された辞書コンテンツ情報テーブル２を示す図であり、同図（Ａ）は英和辞書用の辞書コンテンツ情報テーブル２を示す図、同図（Ｂ）は英英辞書用の辞書コンテンツ情報テーブル２を示す図である。
【００３２】
この辞書コンテンツ情報テーブル２には、各辞書コンテンツそれぞれの出版社，タイトル，収録語数に対応付けられて、ユーザ用途（読む／書く）の適性データ、ユーザ語学レベル（英検級／TOEIC）の適性データ、必要メモリ容量、価格、そして推薦の学校名が記述される。
【００３３】
なお、この辞書コンテンツ情報テーブル２としては、図５（Ａ）で示した英和辞書用、図５（Ｂ）で示した英英辞書用以外にも、和英辞書、国語辞書、漢和辞書、類語辞書、古語辞書、専門辞書など、あらゆるジャンルの辞書コンテンツについて用意される。
【００３４】
次に、前記構成による電子辞書受注生産システムの受注サーバ１０を中心とする電子辞書受注生産処理について説明する。
【００３５】
図６は前記電子辞書受注生産システムにおける受注生産全体処理を示すフローチャートであり、同図（Ａ）はそのユーザ端末処理を示すフローチャート、同図（Ｂ）はその受注サーバ処理を示すフローチャート、同図（Ｃ）はそのファクトリオートメーション処理を示すフローチャートである。
【００３６】
図７は前記電子辞書受注生産システムのユーザ端末処理及び受注サーバ処理に伴うカスタマイズ辞書選択処理を示すフローチャートである。
【００３７】
図８は前記電子辞書受注生産システムの受注サーバ１０により開設されているカスタマイズ辞書ファクトリの初期選択画面Ｇ１を示す図である。
【００３８】
ユーザ端末２０から通信ネットワーク（インターネット）Ｎを介して受注サーバ１０へのアクセスが行われると（ステップＡ１）、受注サーバ１０では、電送制御部１５を介してアクセス元のユーザ端末２０との通信が開始され、カスタマイズ辞書ファクトリのＨＰ情報が送信される（ステップＢ１）。
【００３９】
すると、ユーザ端末２０では、前記受注サーバ１０から送信されたカスタマイズ辞書ファクトリのＨＰ情報に従い、図８に示すように、カスタマイズ辞書ファクトリの初期選択画面Ｇ１が表示され、受注サーバ１０との間で図７におけるカスタマイズ辞書選択処理が開始される（ステップＡＢＤ）。
【００４０】
なお、このカスタマイズ辞書選択処理は、受注サーバ１０に予め記憶された辞書選択処理プログラムに基づきユーザ端末２０との間で順次送受信アクセスを繰り返しながら行う構成としてもよいし、前記受注サーバ１０からユーザ端末２０へのカスタマイズ辞書ファクトリのＨＰ情報と共にその辞書選択処理プログラムもダウンロードし、ユーザが発注する電子辞書の内容と価格が選択決定されるまでの処理について、全てユーザ端末２０にダウンロードされた辞書選択処理プログラムに基づき行う構成としてもよい。
【００４１】
ユーザ端末２０に表示されたカスタマイズ辞書ファクトリの初期選択画面Ｇ１では、ユーザ用途に応じたカスタマイズ辞書の作成を選択するためのＡボタンｘ１、ユーザ語学レベルに応じたカスタマイズ辞書の作成を選択するためのＢボタンｘ２、学校推薦に応じたカスタマイズ辞書の作成を選択するためのＣボタンｘ３、辞書コンテンツやハードウエアを個別に選択した辞書の作成を選択するためのＤボタンｘ４が備えられる。
【００４２】
ここではまず、Ｄボタンｘ４を操作して辞書コンテンツやハードウエアを個別に選択して辞書を作成する場合の処理について説明する。
【００４３】
前記個別選択ｘ４が選択されて、図７におけるカスタマイズ辞書選択処理が開始されると、受注サーバ１０の辞書コンテンツ情報メモリ１２ｃに記憶されている辞書コンテンツ情報テーブル２（図５参照）の中から、各ジャンル別の辞書コンテンツそれぞれのタイトルが読み出され、図９（Ａ）に示すように、辞書個別選択画面Ｇ２としてユーザ端末２０に表示される（ステップＤ１）。
【００４４】
図９は前記電子辞書受注生産システムのカスタマイズ辞書選択処理に伴う個別選択の場合にユーザ端末２０に表示される辞書個別選択画面Ｇ２を示す図であり、同図（Ａ）は各ジャンル毎の辞書コンテンツが基準辞書として予め設定選択された辞書個別選択画面Ｇ２を示す図、同図（Ｂ）は各ジャンル毎の辞書コンテンツを任意選択・変更した場合の辞書個別選択画面Ｇ２′を示す図である。
【００４５】
この辞書個別選択画面Ｇ２では、各ジャンル別の辞書コンテンツの選択項目と共に、余剰のメモリ容量に収録する辞書コンテンツを選択するためのおまけ辞書の選択項目、画面・キーボードサイズの選択項目が設けられ、その選択内容に応じた電子辞書の見積価格表示、及び購入「ＯＫ」、再選択「ＮＧ」のボタン表示が行われる。
【００４６】
ここで、例えば図９（Ａ）で示したように、各ジャンルの辞書及び画面サイズが選択されると（ステップＤ２）、この選択された辞書コンテンツの合計のデータ容量が前記辞書コンテンツ情報テーブル２（図５参照）に記述されている各辞書コンテンツ毎のデータ容量に基づき計算されると共に（ステップＤ３）、この選択辞書コンテンツの合計データ容量が収まるメモリ容量を有するハードウエアサイズがハードウエア情報テーブル１（図４参照）に記述されている選択された画面サイズのタイプ別のメモリ容量に基づき選択される（ステップＤ４）。
【００４７】
すると、選択されたハードウエアサイズに対応付けられて前記ハードウエア情報テーブル１（図４参照）に設定されている価格と、選択された各辞書コンテンツに対応付けられて前記辞書コンテンツ情報テーブル２（図５参照）に設定されている価格とに基づいて、その合計額が製品価格としてユーザ端末２０の辞書個別選択画面Ｇ２に表示される（ステップＤ５）。
【００４８】
この際、前記図９（Ａ）で示した辞書個別選択画面Ｇ２にて選択表示された各辞書コンテンツ（英和：グ＊ンドコンサイス／和英：グ＊ンドコンサイス／国語：広＊苑／漢和：漢＊林／便利辞書：研＊社カタカナ辞典）及びハードウエアサイズ（大画面・大型キーボード）に応じた製品価格は、図１０（Ａ）に示すように、各辞書コンテンツ毎の価格（英和：グ＊ンドコンサイス：\5000／和英：グ＊ンドコンサイス：\5000／国語：広＊苑：\5000／漢和：漢＊林：\3000／便利辞書：研＊社カタカナ辞典：\500）と必要メモリ容量（239MB）及びハードウエアサイズ（大画面・大型キーボード・256MB機）に応じた価格（\30000）との合計額（\48500）として計算表示される。
【００４９】
図１０は前記電子辞書受注生産システムのユーザ端末処理及び受注サーバ処理におけるカスタマイズ辞書選択処理に伴う製品価格の計算内容を示す図であり、同図（Ａ）は図９（Ａ）の辞書個別選択画面Ｇ２での選択内容に応じた製品価格の計算内容を示す図、同図（Ｂ）は図９（Ｂ）の辞書個別選択画面Ｇ２′での選択内容に応じた製品価格の計算内容を示す図である。
【００５０】
前記図９（Ａ）で示した基準の辞書コンテンツが予め選択設定されて対応する製品価格(\48500)が計算表示された辞書個別選択画面Ｇ２において、その選択内容や製品価格がユーザの条件に合わない場合に、「ＯＫ」ボタンの操作無く（ステップＤ６）、例えば図９（Ｂ）に示すように、各辞書コンテンツの選択内容やハードウエアサイズの選択を変更すると（ステップＤ７）、当該変更された各辞書コンテンツ（英和：ジ＊ーニアス／和英：新グロ＊ーバル／国語：学＊国語辞典／漢和：学＊大漢和辞典／便利辞書：研＊社カタカナ辞典）及びハードウエアサイズ（コンパクト表示・キーボード）に応じた製品価格が、図１０（Ｂ）に示すように、各辞書コンテンツ毎の価格（英和：ジ＊ーニアス：\2000／和英：新グロ＊ーバル：\2000／国語：学＊国語辞典：\2000／漢和：学＊大漢和辞典：\1500／便利辞書：研＊社カタカナ辞典：\500）と必要メモリ容量（128MB）及びハードウエアサイズ（コンパクト表示・キーボード・128MB機）に応じた価格（\22000）との合計額（\30000）として計算表示される（ステップＤ５）。
【００５１】
そして、前記辞書個別選択画面Ｇ２あるいはＧ２′において選択表示された辞書コンテンツの内容や製品の見積価格がユーザの条件に合うことにより、「ＯＫ」ボタンが操作されると（ステップＤ６）、選択されたハードウエアサイズのメモリ容量と各辞書コンテンツの収録に必要な合計メモリ容量との差、つまり余剰容量が計算され、この余剰容量に収録可能な辞書コンテンツ（この場合は収録価格\0のサービス辞書コンテンツ）が前記辞書コンテンツ情報テーブル２（図５参照）から抽出され、現在ユーザ端末２０にて表示中の辞書個別選択画面Ｇ２（Ｇ２′）上の「おまけ辞書」の選択項目に表示される（ステップＤ８）。
【００５２】
そして、この余剰容量に対応する「おまけ辞書」の選択項目についての追加辞書コンテンツの選択も終了し、各辞書コンテンツの選択項目及びハードウエアサイズの全ての選択項目についての選択が終了すると（ステップＤ９）、当該最終選択されたハードウエアサイズ及び各辞書コンテンツに対応付けられて前記ハードウエア情報テーブル１（図４参照）及び前記辞書コンテンツ情報テーブル２（図５参照）に設定されている価格に基づいて、その合計額が製品最終見積価格としてユーザ端末２０の辞書個別選択画面Ｇ２（Ｇ２′）に表示される（ステップＤ１０）。
【００５３】
なお、前記余剰容量に対応する「おまけ辞書」の選択項目についての追加辞書コンテンツの選択が行われた後に、他の辞書コンテンツの選択変更やハードウエアサイズの選択変更に伴い余剰容量が減少し、選択された「おまけ辞書」追加辞書コンテンツの収録に要する余剰容量が不足した場合には、例えば図９（Ｂ）に示すように、辞書個別選択画面Ｇ２′上の製品見積価格が点線枠Ｗで囲われて未確定表示されると共に、図９（Ｃ）に示すように、「おまけ辞書」追加辞書コンテンツの収録用のメモリ容量が不足したことを報知し、当該追加辞書コンテンツの削除「削除」あるいはハードウエアサイズの変更「メモリを増やす」をユーザに促すウインドウメッセージＧ２ａが表示される。
【００５４】
このような、カスタマイズ辞書選択処理（ステップＡＢＤ：Ｄ１〜Ｄ１０）に従ってユーザ所望の辞書コンテンツを収録した所望ハードウエアサイズの選択設定処理が終了しその製品見積価格が表示されると、図１１に示すように、メーカ工場へのカスタマイズ辞書の作成依頼画面Ｇ３がユーザ端末２０に表示される。
【００５５】
図１１は前記電子辞書受注生産システムのユーザ端末処理に伴い表示されるカスタマイズ辞書の作成依頼画面Ｇ３を示す図である。
【００５６】
このカスタマイズ辞書の作成依頼画面Ｇ３では、カスタマイズ辞書ファクトリに対する辞書作成依頼の送信メッセージと共に、ユーザ氏名・住所・クレジット番号の入力項目が表示されるもので、このカスタマイズ辞書作成依頼画面Ｇ３において、氏名・住所・クレジット番号がユーザ入力されて「ＯＫ」ボタンが操作されると、入力されたユーザ氏名・住所・クレジット番号の各データがユーザ端末２０から受注サーバ１０へ送信される（ステップＡ２）。
【００５７】
受注サーバ１０において、前記ユーザ端末２０から送信されたユーザ氏名・住所・クレジット番号が受信されると（ステップＢ２）、これと共に前記カスタマイズ辞書選択処理（ステップＡＢＤ）において選択設定された各辞書コンテンツ及びハードウエアサイズの購入辞書情報が対応付けられてメモリ１２内の顧客購入情報メモリ１２ｄに記憶される（ステップＢ３）。
【００５８】
すると、前記受注サーバ１０の顧客購入情報メモリ１２ｄに記憶された顧客ユーザの氏名・住所・クレジット番号及び購入辞書情報が、メーカファクトリＦＡのファクトリオートメーション端末（ＦＡ−ＰＣ）３０へ送信されてカスタマイズ辞書作成の発注が行われる（ステップＢ４）。
【００５９】
そして、受注サーバ１０では、受注された購入辞書の見積価格とユーザクレジット情報に基づき、当該購入ユーザに対する課金処理が行われる（ステップＢ５）。
【００６０】
一方、ファクトリオートメーション端末（ＦＡ−ＰＣ）３０において、前記受注サーバ１０から送信された顧客ユーザの氏名・住所・クレジット番号及び購入辞書情報が受信されると（ステップＣ１）、これに従い製造ライン３０Ｌに対して当該顧客ユーザ所望の電子辞書４０の生産指示が行われる（ステップＣ２）。
【００６１】
そして、前記顧客ユーザの購入辞書情報に基づいて当該ユーザ所望の辞書コンテンツを収録した所望ハードウエアサイズの電子辞書が製造作成されると、当該カスタマイズ電子辞書の梱包と共に「ユーザ氏名・住所」の送り状が添付され（ステップＣ２）、当該カスタマイズ電子辞書の発注元である送り状の宛先へ発送される（ステップＣ４）。
【００６２】
これにより、電子辞書のハードウエアサイズ及びこれに収録される各辞書コンテンツ・製品価格についてユーザの希望通りに製造作成されたカスタマイズ電子辞書がユーザ宅へ配達される。
【００６３】
次に、ユーザ端末２０に表示されたカスタマイズ辞書ファクトリの初期選択画面Ｇ１（図８参照）において、Ａボタンｘ１の操作によりユーザ用途に応じたカスタマイズ辞書を作成する場合の処理について説明する。
【００６４】
図１２は前記電子辞書受注生産システムのカスタマイズ辞書選択処理に伴うユーザ用途選択処理を示すフローチャートである。
【００６５】
図１３は前記電子辞書受注生産システムのユーザ用途選択処理に伴う端末表示画面を示す図であり、同図（Ａ）はユーザ用途入力画面Ｇ４を示す図、同図（Ｂ）はユーザ用途対応辞書設定画面Ｇ５を示す図である。
【００６６】
前記ユーザ用途選択ｘ１が選択されて、図１２における用途選択処理が開始されると、図１３（Ａ）に示すような、ユーザ用途入力画面Ｇ４がユーザ端末２０に表示され、ユーザの使い方の各質問事項Ｑ１〜Ｑ１０に対応する回答の選択入力が促される（ステップＥ１）。
【００６７】
このユーザ用途入力画面Ｇ４において、ユーザの使い方が各質問事項Ｑ１〜Ｑ１０に応じて回答入力されることで、“読む”のが中心の使い方であると判断されると、受注サーバ１０の辞書コンテンツ情報メモリ１２ｃに記憶されている辞書コンテンツ情報テーブル２（図５参照）に基づき、“読む”の用途適性に最も合致した各辞書コンテンツのタイトルが読み出され、図１３（Ｂ）に示すような、“読む”の用途対応辞書設定画面Ｇ５としてユーザ端末２０に表示される（ステップＥ１→Ｅ２）。
【００６８】
また、前記ユーザ用途入力画面Ｇ４において、ユーザの使い方が各質問事項Ｑ１〜Ｑ１０に応じて回答入力されることで、“書く”のが中心の使い方であると判断された場合には、前記辞書コンテンツ情報テーブル２（図５参照）に基づき、“書く”の用途適性に最も合致した各辞書コンテンツのタイトルが読み出され、“書く”の用途対応辞書設定画面（図示せず）としてユーザ端末２０に表示される（ステップＥ１→Ｅ３）。
【００６９】
さらに、前記ユーザ用途入力画面Ｇ４において、ユーザの使い方が特に回答入力されず、未選択と判断された場合には、前記辞書コンテンツ情報テーブル２（図５参照）に基づき、予め設定された基準の用途適性に合わせた各辞書コンテンツのタイトルが読み出され、“基準”の用途対応辞書設定画面（図９（Ａ）参照）としてユーザ端末２０に表示される（ステップＥ１→Ｅ４）。
【００７０】
なお、前記用途対応辞書設定画面（Ｇ５）において、「個別選択」ボタンが操作された場合には、前記図７におけるカスタマイズ辞書選択処理でのステップＤ１〜Ｄ１０の処理が実行され、前記同様に個別選択による辞書コンテンツ及びハードウエアサイズの任意選択設定処理及び製品見積価格の計算表示処理が行われる。
【００７１】
こうして、ユーザ用途に対応した辞書コンテンツが選択設定されてユーザ端末２０に表示されると、前記図７におけるカスタマイズ辞書選択処理でのステップＤ３〜Ｄ１０と同様の処理が実行され、さらにユーザの希望に応じた辞書コンテンツ及びハードウエアサイズへの選択変更が可能になると共に、選択された辞書コンテンツ及びハードウエアサイズに対応した製品見積価格が計算表示される。
【００７２】
そしてこの後、前記図１１で示したように、ユーザ端末２０に表示されたメーカ工場へのカスタマイズ辞書の作成依頼画面Ｇ３において、氏名・住所・クレジット番号がユーザ入力されて「ＯＫ」ボタンが操作されると、入力されたユーザ氏名・住所・クレジット番号の各データがユーザ端末２０から受注サーバ１０へ送信される（ステップＡ２）。
【００７３】
すると、受注サーバ１０では、前記ステップＢ２〜Ｂ５と同様の処理が実行され、また、ファクトリオートメーション端末（ＦＡ−ＰＣ）３０では、前記ステップＣ１〜Ｃ４と同様の処理が実行されることで、電子辞書のハードウエアサイズ及びこれに収録される各辞書コンテンツ・製品価格についてユーザの用途に合わせて製造作成されたカスタマイズ電子辞書がユーザ宅へ配達される。
【００７４】
次に、ユーザ端末２０に表示されたカスタマイズ辞書ファクトリの初期選択画面Ｇ１（図８参照）において、Ｂボタンｘ２の操作によりユーザ語学レベルに応じたカスタマイズ辞書を作成する場合の処理について説明する。
【００７５】
図１４は前記電子辞書受注生産システムのカスタマイズ辞書選択処理に伴うユーザ語学レベル選択処理を示すフローチャートである。
【００７６】
図１５は前記電子辞書受注生産システムのユーザ語学レベル選択処理に伴い端末表示されるユーザ語学レベル対応辞書設定画面Ｇ６を示す図である。
【００７７】
前記ユーザ語学レベル選択ｘ２が選択されて、図１４における語学レベル選択処理が開始されると、「英検」の級や「TOEIC」の点数などのユーザ語学レベルの選択入力画面がユーザ端末２０に表示され、ユーザ語学レベルの判別基準となる各種ユーザ語学レベル（「英検」４級〜１級／「TOEIC」２５０〜９００）の選択入力が促される（ステップＦ１）。
【００７８】
このユーザ語学レベルの選択入力画面において、ユーザの「英検」レベルが選択入力されることで、ユーザ語学レベルの判別基準が「英検」であると判断されると、受注サーバ１０の辞書コンテンツ情報メモリ１２ｃに記憶されている辞書コンテンツ情報テーブル２（図５参照）に基づき、ユーザ選択された英検レベル（例えば「英検：準１級」）の適性に対応した各辞書コンテンツのタイトルが読み出され、図１５に示すような、ユーザ語学レベル対応辞書設定画面Ｇ６としてユーザ端末２０に表示される（ステップＦ２，Ｆ３）。
【００７９】
また、前記ユーザ語学レベルの選択入力画面において、ユーザの「TOEIC」レベルが選択入力されることで、ユーザ語学レベルの判別基準「TOEIC」であると判断されると、前記辞書コンテンツ情報テーブル２（図５参照）に基づき、ユーザ選択されたTOEICレベル（例えば「TOEIC：450」）の適性に対応した各辞書コンテンツのタイトルが読み出され、例えば図１５で示したような、ユーザ語学レベル対応辞書設定画面（Ｇ６）としてユーザ端末２０に表示される（ステップＦ４，Ｆ５）。
【００８０】
なお、前記ユーザ語学レベル対応辞書設定画面（Ｇ６）において、「個別選択」ボタンが操作された場合には、前記図７におけるカスタマイズ辞書選択処理でのステップＤ１〜Ｄ１０の処理が実行され、前記同様に個別選択による辞書コンテンツ及びハードウエアサイズの選択設定処理及び製品見積価格の計算表示処理が行われる。
【００８１】
こうして、ユーザ語学レベルに対応した辞書コンテンツが選択設定されてユーザ端末２０に表示されると、前記図７におけるカスタマイズ辞書選択処理でのステップＤ３〜Ｄ１０と同様の処理が実行され、さらにユーザの希望に応じた辞書コンテンツ及びハードウエアサイズへの選択変更が可能になると共に、選択された辞書コンテンツ及びハードウエアサイズに対応した製品見積価格が計算表示される。
【００８２】
そしてこの後、前記図１１で示したように、ユーザ端末２０に表示されたメーカ工場へのカスタマイズ辞書の作成依頼画面Ｇ３において、氏名・住所・クレジット番号がユーザ入力されて「ＯＫ」ボタンが操作されると、入力されたユーザ氏名・住所・クレジット番号の各データがユーザ端末２０から受注サーバ１０へ送信される（ステップＡ２）。
【００８３】
すると、受注サーバ１０では、前記ステップＢ２〜Ｂ５と同様の処理が実行され、また、ファクトリオートメーション端末（ＦＡ−ＰＣ）３０では、前記ステップＣ１〜Ｃ４と同様の処理が実行されることで、電子辞書のハードウエアサイズ及びこれに収録される各辞書コンテンツ・製品価格についてユーザの語学レベルに合わせて製造作成されたカスタマイズ電子辞書がユーザ宅へ配達される。
【００８４】
次に、ユーザ端末２０に表示されたカスタマイズ辞書ファクトリの初期選択画面Ｇ１（図８参照）において、Ｃボタンｘ３の操作により学校推薦に応じたカスタマイズ辞書を作成する場合の処理について説明する。
【００８５】
図１６は前記電子辞書受注生産システムのカスタマイズ辞書選択処理に伴う学校推薦選択処理を示すフローチャートである。
【００８６】
図１７は前記電子辞書受注生産システムの学校推薦選択処理に伴い端末表示される学校推薦対応辞書設定画面Ｇ７を示す図である。
【００８７】
前記学校推薦選択ｘ３が選択されて、図１６における学校推薦選択処理が開始されると、ユーザの学校名／学部名の入力画面がユーザ端末２０に表示されてその入力が促される（ステップＨ１）。
【００８８】
このユーザ学校名／学部名の選択入力画面において、ユーザの学校名／学部名が入力されると、受注サーバ１０の辞書コンテンツ情報メモリ１２ｃに記憶されている辞書コンテンツ情報テーブル２（図５参照）に基づき、ユーザ入力された学校／学部の推奨している各辞書コンテンツのタイトルが読み出され、図１７に示すような、学校推薦対応辞書設定画面Ｇ７としてユーザ端末２０に表示される（ステップＨ２）。
【００８９】
なお、前記学校推薦対応辞書設定画面Ｇ７において、「個別選択」ボタンが操作された場合には、前記図７におけるカスタマイズ辞書選択処理でのステップＤ１〜Ｄ１０の処理が実行され、前記同様に個別選択による辞書コンテンツ及びハードウエアサイズの選択設定処理及び製品見積価格の計算表示処理が行われる。
【００９０】
こうして、ユーザの学校／学部に対応した推奨の辞書コンテンツが選択設定されてユーザ端末２０に表示されると、前記図７におけるカスタマイズ辞書選択処理でのステップＤ３〜Ｄ１０と同様の処理が実行され、さらにユーザの希望に応じた辞書コンテンツ及びハードウエアサイズへの選択変更が可能になると共に、選択された辞書コンテンツ及びハードウエアサイズに対応した製品見積価格が計算表示される。
【００９１】
そしてこの後、前記図１１で示したように、ユーザ端末２０に表示されたメーカ工場へのカスタマイズ辞書の作成依頼画面Ｇ３において、氏名・住所・クレジット番号がユーザ入力されて「ＯＫ」ボタンが操作されると、入力されたユーザ氏名・住所・クレジット番号の各データがユーザ端末２０から受注サーバ１０へ送信される（ステップＡ２）。
【００９２】
すると、受注サーバ１０では、前記ステップＢ２〜Ｂ５と同様の処理が実行され、また、ファクトリオートメーション端末（ＦＡ−ＰＣ）３０では、前記ステップＣ１〜Ｃ４と同様の処理が実行されることで、電子辞書のハードウエアサイズ及びこれに収録される各辞書コンテンツ・製品価格についてユーザの学校／学部推薦に合わせて製造作成されたカスタマイズ電子辞書がユーザ宅へ配達される。
【００９３】
したがって、前記構成の電子辞書受注生産システムによれば、ユーザ端末２０からアクセスされた受注サーバ１０のホームページに従って、ユーザ所望の辞書コンテンツが選択されると、受注サーバ１０の辞書コンテンツ情報メモリ１２ｃに記憶されている種々の辞書コンテンツ毎の内容・適性・容量・価格・学校推薦などの情報を記述した辞書コンテンツ情報テーブル２（図５参照）及びハードウエア情報メモリ１２ｂに記憶されている各種ハードウエアの仕様・価格の情報を記述したハードウエア情報テーブル１（図４参照）に基づき、選択された辞書コンテンツの収録に必要なメモリ容量が計算されてハードウエアサイズが決定されると共に、選択された辞書コンテンツ及び決定されたハードウエアサイズに応じて製品の見積価格が計算されて前記ユーザ端末２０へ送信表示されるので、ユーザは所望の辞書コンテンツを収録して購入しようとする所望ハードウエアサイズの電子辞書の製品価格を瞬時に知ることができ、自分にあった辞書コンテンツ仕様及び製品価格の電子辞書を通信ネットワーク（インターネット）Ｎを介して発注し購入できるようになる。
【００９４】
また、前記構成の電子辞書受注生産システムによれば、受注サーバ１０により開設されているカスタマイズ辞書ファクトリの初期選択画面Ｇ１において、用途選択ボタンｘ１を操作するとユーザの用途に応じた辞書コンテンツとそのハードウエアサイズが選択決定され、語学レベル選択ボタンｘ２を操作するとユーザの語学レベルに合わせた辞書コンテンツとそのハードウエアサイズが選択決定され、さらに、学校推薦ボタンｘ３を操作するとユーザの学校／学部の推奨に合わせた辞書コンテンツとそのハードウエアサイズが選択決定されて、前記同様にその製品価格と共にユーザ端末２０へ送信表示されるので、ユーザに最適な辞書コンテンツが選択的に収録された希望製品価格の電子辞書を通信ネットワーク（インターネット）Ｎを介して発注し購入できるようになる。
【００９５】
また、前記構成の電子辞書受注生産システムによれば、受注サーバ１０のホームページに従って所望の辞書コンテンツが選択されてその製品見積価格がユーザ端末２０へ表示報知される際には、選択された辞書コンテンツの収録に要するメモリ容量とこれに基づき決定されたハードウエアのメモリ容量との差である余剰の容量に追加収録可能な辞書コンテンツのタイトルが「おまけ辞書」の追加辞書コンテンツとしてユーザ端末２０へ送信表示されその選択入力が促されるので、自分にあった辞書コンテンツ仕様及び製品価格の電子辞書を容易に発注できるだけでなく、ハードウエアの容量一杯に無駄なく各種の辞書コンテンツを収録して有効利用できるようになる。
【００９６】
また、前記構成の電子辞書受注生産システムによれば、ユーザ端末２０から受注サーバ１０のホームページへのアクセスに伴い選択入力され決定された各辞書コンテンツの情報及びハードウエアサイズの情報は、同ユーザ入力されたユーザ氏名，住所と共に受注サーバ１０からファクトリオートメーション端末（ＦＡ−ＰＣ）３０へ送信され、これに基づきファクトリＦＡ内の製造ライン３０Ｌに指示が成されてユーザ所望の電子辞書４０が作成発送されるので、ユーザに最適な辞書コンテンツが選択的に収録された希望製品価格の電子辞書を通信ネットワーク（インターネット）Ｎを介して非常に簡単に発注して受け取ることができるようになる。
【００９７】
なお、前記実施形態において記載した電子辞書受注生産システムにおける受注サーバ１０やユーザ端末２０そしてファクトリオートメーション端末３０による各処理の手法、すなわち、図６（Ａ）のフローチャートに示すユーザ端末処理、図６（Ｂ）のフローチャートに示す受注サーバ処理、図６（Ｃ）のフローチャートに示すファクトリオートメーション端末処理、図７のフローチャートに示す受注サーバ処理あるいはユーザ端末処理に伴うカスタマイズ辞書選択処理、図１２、図１４、図１６の各フローチャートに示すカスタマイズ辞書選択処理に伴う用途選択処理、語学レベル選択処理、学校推薦選択処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、通信ネットワーク（インターネット）Ｎとの通信機能を備えた種々のコンピュータ端末は、この外部記録媒体１３に記憶されたプログラムを記録媒体読取部１４によってメモリ１２に読み込み、この読み込んだプログラムによって動作が制御されることにより、前記実施形態において説明した電子辞書受注生産機能を実現し、前述した手法による同様の処理を実行することができる。
【００９８】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末から前記のプログラムデータを取り込み、前述した電子辞書受注生産機能を実現することもできる。
【００９９】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１００】
【発明の効果】
以上のように、本発明の請求項１に係る受注サーバによれば、各辞書コンテンツの名前と、当該各辞書コンテンツの価格と、当該各辞書コンテンツを推薦する学校名と、をそれぞれ対応付けて記憶する辞書コンテンツ情報記憶手段を有し、外部の端末から学校名受信手段により学校名が受信されると、この受信された学校名と一致する学校名が前記辞書コンテンツ情報記憶手段から検索され、当該検索された学校名と対応付けて記憶された辞書コンテンツの名前が学校推薦辞書コンテンツ名読み出し手段により前記辞書コンテンツ情報記憶手段から読み出され、この読み出された辞書コンテンツの名前が初期選択状態として、他の辞書コンテンツの名前と共に学校推薦辞書コンテンツ名送信手段により前記外部の端末に表示される。この表示された辞書コンテンツの名前から１つ以上の辞書コンテンツの名前を選択した情報が辞書コンテンツ名選択情報受信手段により前記外部の端末から受信されると、この受信された辞書コンテンツの名前に応じた電子辞書の見積価格が見積価格送信手段により前記外部の端末へ送信されるので、端末ユーザは、所望の学校の推薦辞書コンテンツを容易に選択することができ、選択された辞書コンテンツが収録された電子辞書の購入価格をオンラインで瞬時に知ることができる。
【０１０１】
また、本発明の請求項２に係る受注サーバによれば、各辞書コンテンツの名前と、当該各辞書コンテンツの価格と、当該各辞書コンテンツの用途と、をそれぞれ対応付けて記憶する辞書コンテンツ情報記憶手段を有し、外部の端末からユーザ用途受信手段によりユーザ用途が受信されると、この受信されたユーザ用途と一致する用途が前記辞書コンテンツ情報記憶手段から検索され、当該検索された用途と対応付けて記憶された辞書コンテンツの名前が用途対応辞書コンテンツ名読み出し手段により前記辞書コンテンツ情報記憶手段から読み出され、この読み出された辞書コンテンツの名前が初期選択状態として、他の辞書コンテンツの名前と共に用途対応辞書コンテンツ名送信手段により前記外部の端末に表示される。この表示された辞書コンテンツの名前から１つ以上の辞書コンテンツの名前を選択した情報が辞書コンテンツ名選択情報受信手段により前記外部の端末から受信されると、この受信された辞書コンテンツの名前に応じた電子辞書の見積価格が見積価格送信手段により前記外部の端末へ送信されるので、端末ユーザは、所望の用途の辞書コンテンツを容易に選択することができ、選択された辞書コンテンツが収録された電子辞書の購入価格をオンラインで瞬時に知ることができる。
【０１０２】
また、本発明の請求項３に係る受注サーバによれば、各辞書コンテンツの名前と、当該各辞書コンテンツの価格と、当該各辞書コンテンツの語学レベルと、をそれぞれ対応付けて記憶する辞書コンテンツ情報記憶手段を有し、外部の端末からユーザ語学レベル受信手段によりユーザ語学レベルが受信されると、この受信されたユーザ語学レベルと一致する語学レベルが前記辞書コンテンツ情報記憶手段から検索され、当該検索された語学レベルと対応付けて記憶された辞書コンテンツの名前が語学レベル対応辞書コンテンツ名読み出し手段により前記辞書コンテンツ情報記憶手段から読み出され、この読み出された辞書コンテンツの名前が初期選択状態として、他の辞書コンテンツの名前と共に語学レベル対応辞書コンテンツ名送信手段により前記外部の端末に表示される。すると、この表示された辞書コンテンツの名前から１つ以上の辞書コンテンツの名前を選択した情報が辞書コンテンツ名選択情報受信手段により前記外部の端末から受信されると、この受信された辞書コンテンツの名前に応じた電子辞書の見積価格が見積価格送信手段により前記外部の端末へ送信されるので、端末ユーザは、所望の語学レベルの辞書コンテンツのを容易に選択することができ、選択された辞書コンテンツが収録された電子辞書の購入価格をオンラインで瞬時に知ることができる。
【０１０３】
よって、本発明によれば、ユーザは個々人で任意の辞書コンテンツを組み合わせて収録した電子辞書を容易に購入することが可能になり、条件に適合したコンテンツの組み合わせを容易に知ることができる。
【図面の簡単な説明】
【図１】本発明の実施形態に係る受注サーバ１０に基づいた電子辞書受注生産システムの全体の構成を示す図。
【図２】前記電子辞書受注生産システムの概要を説明する図。
【図３】前記電子辞書受注生産システムにおける受注サーバ１０の電子回路の構成を示すブロック図。
【図４】前記電子辞書受注生産システムにおける受注サーバ１０のハードウエア情報メモリ１２ｂに記憶されたハードウエア情報テーブル１を示す図。
【図５】前記電子辞書受注生産システムにおける受注サーバ１０の辞書コンテンツ情報メモリ１２ｃに記憶された辞書コンテンツ情報テーブル２を示す図であり、同図（Ａ）は英和辞書用の辞書コンテンツ情報テーブル２を示す図、同図（Ｂ）は英英辞書用の辞書コンテンツ情報テーブル２を示す図。
【図６】前記電子辞書受注生産システムにおける受注生産全体処理を示すフローチャートであり、同図（Ａ）はそのユーザ端末処理を示すフローチャート、同図（Ｂ）はその受注サーバ処理を示すフローチャート、同図（Ｃ）はそのファクトリオートメーション処理を示すフローチャート。
【図７】前記電子辞書受注生産システムのユーザ端末処理及び受注サーバ処理に伴うカスタマイズ辞書選択処理を示すフローチャート。
【図８】前記電子辞書受注生産システムの受注サーバ１０により開設されているカスタマイズ辞書ファクトリの初期選択画面Ｇ１を示す図。
【図９】前記電子辞書受注生産システムのカスタマイズ辞書選択処理に伴う個別選択の場合にユーザ端末２０に表示される辞書個別選択画面Ｇ２を示す図であり、同図（Ａ）は各ジャンル毎の辞書コンテンツが基準辞書として予め設定選択された辞書個別選択画面Ｇ２を示す図、同図（Ｂ）は各ジャンル毎の辞書コンテンツを任意選択・変更した場合の辞書個別選択画面Ｇ２′を示す図。
【図１０】前記電子辞書受注生産システムのユーザ端末処理及び受注サーバ処理におけるカスタマイズ辞書選択処理に伴う製品価格の計算内容を示す図であり、同図（Ａ）は図９（Ａ）の辞書個別選択画面Ｇ２での選択内容に応じた製品価格の計算内容を示す図、同図（Ｂ）は図９（Ｂ）の辞書個別選択画面Ｇ２′での選択内容に応じた製品価格の計算内容を示す図。
【図１１】前記電子辞書受注生産システムのユーザ端末処理に伴い表示されるカスタマイズ辞書の作成依頼画面Ｇ３を示す図。
【図１２】前記電子辞書受注生産システムのカスタマイズ辞書選択処理に伴うユーザ用途選択処理を示すフローチャート。
【図１３】前記電子辞書受注生産システムのユーザ用途選択処理に伴う端末表示画面を示す図であり、同図（Ａ）はユーザ用途入力画面Ｇ４を示す図、同図（Ｂ）はユーザ用途対応辞書設定画面Ｇ５を示す図。
【図１４】前記電子辞書受注生産システムのカスタマイズ辞書選択処理に伴うユーザ語学レベル選択処理を示すフローチャート。
【図１５】前記電子辞書受注生産システムのユーザ語学レベル選択処理に伴い端末表示されるユーザ語学レベル対応辞書設定画面Ｇ６を示す図。
【図１６】前記電子辞書受注生産システムのカスタマイズ辞書選択処理に伴う学校推薦選択処理を示すフローチャート。
【図１７】前記電子辞書受注生産システムの学校推薦選択処理に伴い端末表示される学校推薦対応辞書設定画面Ｇ７を示す図。
【符号の説明】
１０  …受注サーバ
１１  …ＣＰＵ
１２  …メモリ
１２ａ…受注サーバ処理プログラム
１２ｂ…ハードウエア情報メモリ
１２ｃ…辞書コンテンツ情報メモリ
１２ｄ…顧客購入情報メモリ
１３  …外部記録媒体
１４  …記録媒体読取部
１５  …電送制御部
１６  …入力部
１７  …表示部
２０  …ユーザ端末（ＰＣ）
３０  …ファクトリオートメーション端末（ＦＡ−ＰＣ）
３０Ｌ…製造ライン
４０  …電子辞書
Ｎ  …通信ネットワーク（インターネット）
ＦＡ…電子辞書メーカファクトリ
【図１】
0003932980.tif 000002
【図２】
0003932980.tif 000003
【図３】
0003932980.tif 000004
【図４】
0003932980.tif 000005
【図５】
0003932980.tif 000006
【図６】
0003932980.tif 000007
【図７】
0003932980.tif 000008
【図８】
0003932980.tif 000009
【図９】
0003932980.tif 000010
【図１０】
0003932980.tif 000011
【図１１】
0003932980.tif 000012
【図１２】
0003932980.tif 000013
【図１３】
0003932980.tif 000014
【図１４】
0003932980.tif 000015
【図１５】
0003932980.tif 000016
【図１６】
0003932980.tif 000017
【図１７】
0003932980.tif 000018